(57)【要約】【課題】シリーズに接続された複数の増幅部を備えた受信装置において、前段の増幅部１９がＯＦＦ状態からＯＮ状態になった場合、復調処理部２４におけるエラーの発生を抑制することを目的とする。【解決手段】本発明の受信装置１６における制御部２６は、第１増幅部１９をＯＦＦ状態からＯＮ状態にする場合、第２増幅部２０の増幅度が所定値以下になる様に制御する構成である。これにより、制御部２６が前段の第１増幅部１９をＯＦＦ状態からＯＮ状態に制御する場合、第１増幅部１９からの出力信号の強度が急激に大きくなったとしても、後段の第２増幅部２０の増幅度が所定値以下に制御されているので、第２増幅部２０からの出力信号が急激に大きくなることを抑制することができる。【選択図】図１
2009171278.tif 000002
【特許請求の範囲】
【請求項１】
受信信号が入力されＯＮ状態とＯＦＦ状態とを切替え可能な第１増幅部と、
前記第１増幅部の出力側若しくは入力側に接続されて増幅度が変化する第２増幅部と、
前記第２増幅部若しくは前記第１増幅部のうち後段の回路から出力された信号に基づいて前記第２増幅部の増幅度を変化させ、かつ前記第２増幅部の増幅度が閾値以上となった場合に前記第１増幅部をＯＦＦ状態からＯＮ状態に制御する制御部とを備え、
前記制御部は、前記第１増幅部をＯＦＦ状態からＯＮ状態にする場合、前記第２増幅部の増幅度が所定値以下になる様に制御する受信装置。
【請求項２】
前記制御部は、前記第１増幅部をＯＦＦ状態からＯＮ状態にすると同時若しくは直前に、前記第２増幅部の増幅度が所定値以下になる様に制御する請求項１に記載の受信装置。
【請求項３】
前記所定値は、前記第１増幅部がＯＦＦ状態からＯＮ状態になる直前における前記第２増幅部の増幅度と前記第１の増幅部の増幅度との差の増幅度である請求項１に記載の受信装置。
【請求項４】
前記所定値は、前記第１増幅部がＯＦＦ状態からＯＮ状態になる直前における前記第２増幅部の増幅度である請求項１に記載の受信装置。
【請求項５】
前記制御部は、前記第２増幅部の増幅度が所定値以下になる様に制御した後に、この制御を解除する請求項１に記載の受信装置。
【請求項６】
受信信号が入力されＯＮ状態とＯＦＦ状態とを切替え可能な第１増幅部と、
前記第１増幅部の出力側若しくは入力側に接続されて増幅度が変化する第２増幅部と、
前記第２増幅部若しくは前記第１増幅部のうち後段の回路から出力された信号に基づいて前記第２増幅部の増幅度を変化させ、かつ前記第２増幅部の増幅度が閾値以下となった場合に前記第１増幅部をＯＮ状態からＯＦＦ状態に制御する制御部とを備え、
前記制御部は、前記第１増幅部をＯＮ状態からＯＦＦ状態にする場合、前記第２増幅部の増幅度が所定値以上になる様に制御する受信装置。
【請求項７】
前記制御部は、前記第１増幅部をＯＮ状態からＯＦＦ状態にすると同時若しくは直後に、前記第２増幅部の増幅度が所定値以上になる様に制御する請求項６に記載の受信装置。
【請求項８】
前記所定値は、前記第１増幅部がＯＮ状態からＯＦＦ状態になる直前における前記第２増幅部の増幅度と前記第１の増幅部の増幅度とを足した増幅度である請求項６に記載の受信装置。
【請求項９】
前記所定値は、前記第１増幅部がＯＮ状態からＯＦＦ状態になる直前における前記第２増幅部の増幅度である請求項６に記載の受信装置。
【請求項１０】
前記制御部は、前記第２増幅部の増幅度が所定値以上になる様に制御した後に、この制御を解除する請求項６に記載の受信装置。
【請求項１１】
受信信号が入力され離散的に増幅度が変化する第１増幅部と、
前記第１増幅部の出力側若しくは入力側に接続されて増幅度が変化する第２増幅部と、
前記第２増幅部若しくは前記第１増幅部のうち後段の回路から出力された信号に基づいて前記第２増幅部の増幅度を変化させ、かつ前記第２増幅部の増幅度が閾値以上となった場合に前記第１増幅部を増幅度が小さい状態から増幅度が大きい状態に制御する制御部とを備え、
前記制御部は、前記第１増幅部を増幅度が小さい状態から増幅度が大きい状態にする場合、前記第２増幅部の増幅度が所定値以下になる様に制御する受信装置。
【請求項１２】
受信信号が入力され増幅度が大きい状態と増幅度が小さい状態とを切替え可能な第１増幅部と、
前記第１増幅部の出力側若しくは入力側に接続されて増幅度が変化する第２増幅部と、
前記第２増幅部若しくは前記第１増幅部のうち後段の回路から出力された信号に基づいて前記第２増幅部の増幅度を変化させ、かつ前記第２増幅部の増幅度が閾値以下となった場合に前記第１増幅部を増幅度が大きい状態から増幅度が小さい状態に制御する制御部とを備え、
前記制御部は、前記第１増幅部を増幅度が大きい状態から増幅度が小さい状態にする場合、前記第２増幅部の増幅度が所定値以上になる様に制御する受信装置。
【請求項１３】
請求項１から請求項１２のいずれか一つに記載の受信装置と、
この受信装置の出力側に接続された表示部とを備えた電子機器。
【発明の詳細な説明】
【技術分野】
【０００１】
本発明は、信号を受信する受信装置と、これを用いた電子機器に関するものである。
【背景技術】
【０００２】
以下、従来の受信装置について図５を用いて説明する。図５は、従来の受信装置を搭載した電子機器のブロック図である。図５において、従来の電子機器１は、デジタルＴＶ放送を受信するアンテナ２と、このアンテナ２の出力側に接続された受信装置３と、この受信装置３の出力側に接続された復号処理部４と、この復号処理部４の出力側に接続された表示部５とを備える。受信装置３は、局部発振部８から出力された発振信号に基づいて、アンテナ２に接続されてＯＮ状態とＯＦＦ状態とを切替え可能な第１増幅部６と、この第１増幅部６の出力側に接続されて増幅度が変化する第２増幅部７と、局部発振部８の出力に基づいて第２増幅部７から出力された信号を周波数変換する混合部９と、この混合部９の出力側に接続されてアナログ信号をデジタル信号に変換するＡＤ変換部１０と、このＡＤ変換部１０の出力側に接続された復調処理部１１とを備える。さらに、受信装置３は、ＡＤ変換部１０と復調処理部１１との間に接続されてＡＤ変換部１０から出力された信号レベルを検出するレベル検出部１２と、このレベル検出部１２の検出結果に基づいて第２増幅部７の増幅度を変化させ且つ第１増幅部６のＯＮ状態とＯＦＦ状態とを切替え制御する制御部１３とを備える。
【０００３】
以下、従来の受信装置３における制御部１３の動作について説明する。初期状態として、第１増幅部６は、ＯＦＦ状態、即ち、機能していない状態であるとする。
【０００４】
上記制御部１３は、第２増幅部７の出力信号の強度が大きくなればなるほど、第２増幅部７の増幅度を小さくし、第２増幅部７の出力信号の強度が小さくなればなるほど、第２増幅部７の増幅度を大きくする。しかし、第２増幅部７の増幅度はある値Ａにまで大きくなると、たとえ第２増幅部７の出力信号の強度が小さくなったとしても、大きくならずほぼ一定になる。そこで、制御部１３は、第２増幅部７の増幅度がほぼ一定になる前に第２増幅部７の出力信号の強度を大きくする為に、第２増幅部７の増幅度が閾値Ｂ（≦Ａ）以上となった場合、第１増幅部６をＯＦＦ状態からＯＮ状態に制御する。これにより、第１増幅部６からの出力信号の強度が大きくなり、それに伴い、第２増幅部７からの出力信号強度も大きくなる。その結果、第２増幅部７の出力信号の強度を適切に保つことができる。
【０００５】
尚、この出願の発明に関連する先行技術文献情報としては、例えば、特許文献１が知られている。
【特許文献１】特許第３４５４８８２号公報
【発明の開示】
【発明が解決しようとする課題】
【０００６】
しかし、制御部１３が第１増幅部６をＯＦＦ状態からＯＮ状態に制御したとき、第１増幅部６からの出力信号の強度が急激に大きくなることにより、第２増幅部７からの出力信号強度も急激に大きくなる。その結果、ＡＤ変換部１０の入力強度限界よりも大きな入力信号がＡＤ変換部１０に入力され、復調処理部１１においてエラーが発生するという問題があった。
【０００７】
図６は、第２増幅部７からの出力信号強度を経時的に示したものである。縦軸が第２増幅部７からの出力信号強度、横軸が時間ｔである。尚、ＡＤ変換部１０の入力強度限界Ｐを破線で示す。この図６により、制御部１３が第１増幅部６をＯＦＦ状態からＯＮ状態に制御したときをｔ＝Ｔ１とすると、ｔ＝Ｔ１で、第２増幅部７からの出力信号強度も急激に大きくなり、入力強度限界Ｐを超えることが分かる。
【０００８】
そこで本発明は、シリーズに接続された複数の増幅部を備えた受信装置において、前段の増幅部がＯＦＦ状態からＯＮ状態になった場合、復調処理部におけるエラーの発生を抑制することを目的とする。
【課題を解決するための手段】
【０００９】
上記目的を達成する為に、本発明の受信装置における制御部は、第１増幅部をＯＦＦ状態からＯＮ状態にする場合、第２増幅部の増幅度が所定値以下になる様に制御する構成である。
【発明の効果】
【００１０】
上記構成により、制御部が前段の第１増幅部をＯＦＦ状態からＯＮ状態に制御する場合、第１増幅部からの出力信号の強度が急激に大きくなったとしても、後段の第２増幅部の増幅度が所定値以下に制御されているので、第２増幅部からの出力信号が急激に大きくなることを抑制することができる。その結果、ＡＤ変換部の入力強度限界よりも大きな入力信号がＡＤ変換部に入力されることを抑制することができ、復調処理部におけるエラーの発生を抑制することができる。
【発明を実施するための最良の形態】
【００１１】
（実施の形態１）
以下、本発明の実施の形態１について図１を用いて説明する。図１は、実施の形態１における受信装置を搭載した電子機器のブロック図である。以下、実施の形態１における受信装置を搭載した電子機器について図１を用いて説明する。図１において、電子機器１４は、デジタルＴＶ放送を受信するアンテナ１５と、このアンテナ１５の出力側に接続された受信装置１６と、この受信装置１６の出力側に接続された復号処理部１７と、この復号処理部１７の出力側に接続された表示部１８とを備える。受信装置１６は、アンテナ１５に接続されてＯＮ状態とＯＦＦ状態とを切替え可能な第１増幅部１９をさらに備える。この第１増幅部１９のＯＮ状態とＯＦＦ状態との切替えとは、第１増幅部１９の信号増幅機能ＯＮ状態とＯＦＦ状態との切替えであっても構わないし、第１増幅部１９の電源ＯＮ状態とＯＦＦ状態との切替えであっても構わないし、第１増幅部１９の信号増幅機能と電源の両方のＯＮ状態とＯＦＦ状態との切替えであっても構わない。尚、第１増幅部１９の信号増幅機能ＯＦＦ状態は、例えば、第１増幅部１９を短絡させることにより実現する。更に、受信装置１６は、第１増幅部１９の出力側に接続されて増幅度が変化する第２増幅部２０と、局部発振部２１の出力に基づいて第２増幅部２０から出力された信号を周波数変換する混合部２２と、この混合部２２の出力側に接続されアナログ信号をデジタル信号に変換するＡＤ変換部２３と、このＡＤ変換部２３の出力側に接続された復調処理部２４とを備える。さらに、受信装置１６は、ＡＤ変換部２３と復調処理部２４との間に接続されてＡＤ変換部２３から出力された信号レベルを検出するレベル検出部２５と、このレベル検出部２５の検出結果に基づいて第２増幅部２０の増幅度を変化させ且つ第１増幅部１９のＯＮ状態とＯＦＦ状態とを切替え制御する制御部２６とを備える。尚、混合部２２は、第１増幅部１９の前段に接続されていても構わないし、第１増幅部１９と第２増幅部２０との間に接続されていても構わない。また、レベル検出部２５は、ＡＤ変換部２３の前段に接続されていても良いし、混合部２２の前段に接続されていても良い。この場合、レベル検出部２５は、第２増幅部２０のアナログ出力値を検出することになる。さらに、電子機器１４の各構成間にそれぞれフィルタが接続されていてもいなくても構わない。尚、第２増幅部２０は、連続的に増幅度が変化しても構わないし、離散的に増幅度が変化しても構わない。また、第２増幅部２０は、第１増幅部１９の入力側に接続されていても構わない。
【００１２】
以下、本発明の受信装置１６における制御部２６の動作について説明する。初期状態として、第１増幅部１９は、ＯＦＦ状態、即ち、機能していない状態であるとする。
【００１３】
上記制御部２６は、第２増幅部２０の出力信号の強度が大きくなればなるほど、第２増幅部２０の増幅度を小さくし、第２増幅部２０の出力信号の強度が小さくなればなるほど、第２増幅部２０の増幅度を大きくする。これにより、第２増幅部２０の出力信号の強度は、ほぼ一定に保たれる。即ち、制御部２６は、アンテナ１５の信号受信レベルが変動しても、上記制御により第２増幅部２０の出力信号の強度をほぼ一定に保っている。しかし、第２増幅部２０の増幅度はある値Ａにまで大きくなると、たとえ第２増幅部２０の出力信号の強度が小さくなったとしても、大きくならずほぼ一定になる。そこで、制御部２６は、第２増幅部２０の増幅度がほぼ一定になる前に第２増幅部２０の出力信号の強度を大きくする為に、第２増幅部２０の増幅度が閾値Ｂ（≦Ａ）以上となった場合、第１増幅部１９をＯＦＦ状態からＯＮ状態に制御する。これにより、第１増幅部１９からの出力信号の強度が大きくなり、それに伴い、第２増幅部２０からの出力信号の強度も大きくなる。その結果、第２増幅部２０の出力信号の強度を適切に保つことができる。
【００１４】
さらに、制御部２６は、第１増幅部１９をＯＦＦ状態からＯＮ状態にする直前または同時に、第２増幅部２０の増幅度が所定値以下になる様に制御する。この所定値は、通常、第１増幅部１９がＯＦＦ状態からＯＮ状態になる直前における第２増幅部２０の増幅度と第１の増幅部１９の増幅度との差の増幅度である。尚、前記「直前」の示す時間は、長くともデジタル信号が時間インターリーブされる時間であり、好ましくは、１シンボル期間の２分の１以下の時間である。これにより、制御部２６が前段の第１増幅部１９をＯＦＦ状態からＯＮ状態に制御する場合、第１増幅部１９からの出力信号の強度が急激に大きくなったとしても、後段の第２増幅部２０の増幅度が所定値以下に制御されているので、第２増幅部２０からの出力信号強度が急激に大きくなることを抑制することができる。その結果、ＡＤ変換部２３の入力強度限界よりも大きな入力信号がＡＤ変換部２３に入力されることを抑制することができ、復調処理部２４におけるエラーの発生を抑制することができる。
【００１５】
図２は、第２増幅部２０からの出力信号強度を経時的に示したものである。縦軸が第２増幅部２０からの出力信号強度、横軸が時間ｔである。尚、ＡＤ変換部２３の入力強度限界Ｐを破線で示す。制御部２６が第１増幅部１９をＯＦＦ状態からＯＮ状態に制御したときをｔ＝Ｔ１とすると、ｔ＝Ｔ１の直前に、制御部２６は、第２増幅部２０の増幅度が所定値以下になる様に制御している。この図２により、制御部２６が前段の第１増幅部１９をＯＦＦ状態からＯＮ状態に制御する場合、第２増幅部２０からの出力信号強度が急激に大きくなることを抑制することができていることが分かる。
【００１６】
尚、制御部２６は、第１増幅部１９をＯＦＦ状態からＯＮ状態にする場合、第２増幅部２０の増幅度が、その直前における第２増幅部２０の増幅度以下となるように制御しても良い。この構成でも、第２増幅部２０からの出力信号強度が急激に大きくなることを抑制することができる。
【００１７】
さらに、制御部２６は、第２増幅部２０の増幅度が所定値以下になる様に制御した後に、この制御を解除しても良い。これにより、再び、第２増幅部２０が受信環境に合わせて増幅度を変化させることができるので、第２増幅部２０の出力信号の強度を再び適切に保つことができる。
【００１８】
その後、制御部２６が第１増幅部１９をＯＮ状態からＯＦＦ状態に制御した場合を以下説明する。
【００１９】
第１増幅部１９からの出力信号の強度が急激に小さくなることにより、第２増幅部２０からの出力信号強度も急激に小さくなり、第２増幅部２０の出力信号の強度が適切な値になるのに長期間を要する。その結果、ＡＤ変換部２３の変換分解能に対してＡＤ変換部２３への入力信号強度が小さくなる状態が長期間継続し、復調処理部２４においてエラーが長期間、発生するという問題がある。
【００２０】
図３は、第２増幅部２０からの出力信号強度を経時的に示したものである。縦軸が第２増幅部２０からの出力信号強度、横軸が時間ｔである。この図３により、制御部２６が第１増幅部１９をＯＦＦ状態からＯＮ状態に制御したときをｔ＝Ｔ２とすると、ｔ＝Ｔ２で、第２増幅部７からの出力信号強度も急激に小さくなり、第２増幅部２０の出力信号の強度が適切な値になるのに長期間を要することが分かる。
【００２１】
そこで、制御部２７は、第２増幅部２０の増幅度が閾値以下となった場合に第１増幅部１９をＯＮ状態からＯＦＦ状態に制御する直後若しくは同時に、第２増幅部２０の増幅度が所定値以上になる様に制御する。この所定値は、通常、第１増幅部１９がＯＮ状態からＯＦＦ状態になる直前における第２増幅部２０の増幅度と第１の増幅部１９の増幅度とを足した増幅度である。これにより、制御部２６が第１の増幅部１９をＯＮ状態からＯＦＦ状態に制御する場合、第１の増幅部１９からの出力信号が急激に小さくなったとしても、後段の第２の増幅部２０の増幅度が所定値以上に制御されているので、第２の増幅部２０からの出力信号強度の小さい状態が長期間継続することを抑制することができる。その結果ＡＤ変換部２３の入力強度が、適切な値に保たれ、復調処理部２４における長期間のエラーの発生を抑制することができる。
【００２２】
図４は、第２増幅部２０からの出力信号強度を経時的に示したものである。縦軸が第２増幅部２０からの出力信号強度、横軸が時間ｔである。制御部２６が第１増幅部１９をＯＮ状態からＯＦＦ状態に制御したときをｔ＝Ｔ２とすると、ｔ＝Ｔ２の直後に、制御部２６は、第２増幅部２０の増幅度が所定値以上になる様に制御している。この図４により、制御部２６が前段の第１増幅部１９をＯＮ状態からＯＦＦ状態に制御する場合、第２増幅部２０からの出力信号強度の小さい状態が長期間継続することを抑制することができることが分かる。
【００２３】
尚、制御部２６は、第１増幅部１９をＯＮ状態からＯＦＦ状態にする場合、第２増幅部２０の増幅度が、その直前における第２増幅部２０の増幅度以上となるように制御しても良い。この構成でも、第２増幅部２０からの出力信号強度の小さい状態が長期間継続することを抑制することができる。
【００２４】
さらに、制御部２６は、第２の増幅部２０の増幅度が所定値以上になる様に制御した後に、この制御を解除しても良い。これにより、再び、第２増幅部２０が受信環境に合わせて増幅度を変化させることができるので、第２増幅部２０の出力信号の強度を再び適切に保つことができる。
【００２５】
また、第１増幅部１９は、受信信号が入力され離散的に増幅度が変化する構成であっても構わない。さらに言うと、第１増幅部１９の増幅度変化の離散幅は、第２増幅部２０の増幅度変化の離散幅よりも大きければ構わない。制御部２６は、第２増幅部２０から出力された信号レベルに基づいて第２増幅部２０の増幅度を変化させ、かつ第２増幅部２０の増幅度が閾値以上となった場合に第１増幅部１９を増幅度が小さい状態から増幅度が大きい状態に制御する構成であっても構わない。即ち、制御部２６は、第１増幅部１９を増幅度が小さい状態から増幅度が大きい状態にする場合、第２増幅部２０の増幅度が所定値以下になる様に制御する。
【００２６】
これにより、制御部２６が前段の第１増幅部１９を増幅度が小さい状態から増幅度が大きい状態に制御する場合、第１増幅部１９からの出力信号の強度が急激に大きくなったとしても、後段の第２増幅部２０の増幅度が所定値以下に制御されているので、第２増幅部２０からの出力信号強度が急激に大きくなることを抑制することができる。その結果、ＡＤ変換部２３の入力強度限界よりも大きな入力信号がＡＤ変換部２３に入力されることを抑制することができ、復調処理部２４におけるエラーの発生を抑制することができる。
【００２７】
また、上記構成において、制御部２６は、第２増幅部２０の増幅度が閾値以下となった場合に第１増幅部１９を増幅度が大きい状態から増幅度が小さい状態に制御する構成において、第１増幅部１９を増幅度が大きい状態から増幅度が小さい状態にする場合、第２増幅部２０の増幅度が所定値以下になる様に制御する構成であっても構わない。
【００２８】
これにより、制御部２６が第１の増幅部１９を増幅度が大きい状態から増幅度が小さい状態に制御する場合、第１の増幅部１９からの出力信号が急激に小さくなったとしても、後段の第２の増幅部２０の増幅度が所定値以上に制御されているので、第２の増幅部２０からの出力信号強度の小さい状態が長期間継続することを抑制することができる。その結果ＡＤ変換部２３の入力強度が、適切な値に保たれ、復調処理部２４における長期間のエラーの発生を抑制することができる。
【産業上の利用可能性】
【００２９】
本発明の受信装置は、シリーズに接続された複数の増幅部を備えた受信装置において、前段の増幅部がＯＦＦ状態からＯＮ状態になった場合、復調処理部におけるエラーの発生を抑制するので、据置ＴＶ、ＴＶ機能付携帯端末や、車載用受信装置などの電子機器に特に有用である。
【図面の簡単な説明】
【００３０】
【図１】本発明の実施の形態１における受信装置を搭載した電子機器のブロック図
【図２】本発明の実施の形態１における受信装置の第２増幅部からの出力信号強度を経時的に示した図
【図３】本発明の実施の形態１における受信装置の第２増幅部からの出力信号強度を経時的に示した図
【図４】本発明の実施の形態１における受信装置の第２増幅部からの出力信号強度を経時的に示した図
【図５】従来の受信装置を搭載した電子機器のブロック図
【図６】従来の受信装置の第２増幅部からの出力信号強度を経時的に示した図
【符号の説明】
【００３１】
１４  電子機器
１５  アンテナ
１６  受信装置
１７  復号処理部
１８  表示部
１９  第１増幅部
２０  第２増幅部
２１  局部発振部
２２  混合部
２３  ＡＤ変換部
２４  復調処理部
２５  レベル検出部
２６  制御部
【図１】
2009171278.tif 000003
【図２】
2009171278.tif 000004
【図３】
2009171278.tif 000005
【図４】
2009171278.tif 000006
【図５】
2009171278.tif 000007
【図６】
2009171278.tif 000008